(57)【要約】  インダクタモジュール（１）は、熱可塑性樹脂からなる絶縁性のフレキシブル基板（１００）と、フレキシブル基板（１００）に内蔵されたＩＣ素子（１１０）と、フレキシブル基板（１００）に内蔵されたチップ状コンデンサ（１２０、１３０）と、磁性体を素体（２００）とし、フレキシブル基板（１００）の一方主面に搭載されたチップ状インダクタ（１４０）と、フレキシブル基板（１００）の他方主面に形成された入出力端子（１６０）と、を備える。ＩＣ素子（１１０）はスイッチングＩＣ素子、チップ状インダクタ（１４０）はチョークコイルであって、インダクタモジュール（１）は、ＤＣＤＣコンバータモジュールを構成していてもよい。
2017179612.tif 000002
【特許請求の範囲】
【請求項１】
熱可塑性樹脂からなる絶縁性のフレキシブル基板と、
前記フレキシブル基板に内蔵されたＩＣ素子と、
前記フレキシブル基板に内蔵されたチップ状コンデンサと、
磁性体を素体とし、前記フレキシブル基板の一方主面に搭載されたチップ状インダクタと、
前記フレキシブル基板の他方主面に形成された入出力端子と、
を備えるインダクタモジュール。
【請求項２】
平面視で、前記チップ状インダクタの投影面内に前記ＩＣ素子が配置されている、
請求項１に記載のインダクタモジュール。
【請求項３】
前記チップ状インダクタは前記フレキシブル基板に向かう一方主面に平面状電極を有し、当該平面状電極を介して前記フレキシブル基板と接続されている、
請求項１または２に記載のインダクタモジュール。
【請求項４】
前記ＩＣ素子は、平面視で前記入出力端子と重ならない位置に配置されている、
請求項１から３の何れか１項に記載のインダクタモジュール。
【請求項５】
前記ＩＣ素子と前記入出力端子とを結ぶ配線の一部は、前記チップ状インダクタの前記素体の内部に引回されている、
請求項１から４の何れか１項に記載のインダクタモジュール。
【請求項６】
前記チップ状インダクタの前記素体は、磁性体セラミックで構成されている、
請求項１から５の何れか１項に記載のインダクタモジュール。
【請求項７】
前記チップ状インダクタの前記素体と前記フレキシブル基板とが直接的に接合されている、
請求項１から６の何れか１項に記載のインダクタモジュール。
【請求項８】
前記チップ状インダクタの前記フレキシブル基板とは反対側の他方主面に、補助層が配置されている、
請求項１から７の何れか１項に記載のインダクタモジュール。
【請求項９】
前記チップ状インダクタと前記フレキシブル基板とは、平面視で同じ大きさに形成されている、
請求項１から８の何れか１項に記載のインダクタモジュール。
【請求項１０】
前記ＩＣ素子はスイッチングＩＣ素子、前記チップ状インダクタはチョークコイルであって、ＤＣＤＣコンバータモジュールを構成している、
請求項１から９のいずれか１項に記載のインダクタモジュール。
【請求項１１】
前記ＩＣ素子はＲＦＩＣ素子、前記チップ状インダクタはアンテナコイルであって、ＲＦモジュールを構成している、
請求項１から９のいずれか１項に記載のインダクタモジュール。
【発明の詳細な説明】
【技術分野】
【０００１】
本発明は、インダクタモジュールに関し、特には、チョークコイルにチップ状インダクタを用いたインダクタモジュールに関する。
【背景技術】
【０００２】
従来、チョークコイルにチップ状インダクタを用いたインダクタモジュールが周知である。例えば、特許文献１、２は、そのようなインダクタモジュールの一例として、スイッチングＩＣ素子を内蔵した基板上に、チョークコイルとしてのチップ状インダクタ、および平滑用のチップ状コンデンサを表面実装してなるＤＣＤＣコンバータモジュールを開示している。
【先行技術文献】
【特許文献】
【０００３】
【特許文献１】特開２０１１−２０５８５３号公報
【特許文献２】特開２０１１−１３８８１２号公報
【発明の概要】
【発明が解決しようとする課題】
【０００４】
しかしながら、本発明者は、従来のインダクタモジュールにおいて、モジュールの機械的強度および小型化を阻害し得る要因があることに気付いた。【０００５】
そこで、本発明は、機械的強度に優れかつ小型に構成できるインダクタモジュールを提供することを目的とする。
【課題を解決するための手段】
【０００６】
上記目的を達成するために、本発明の一態様に係るインダクタモジュールは、熱可塑性樹脂からなる絶縁性のフレキシブル基板と、前記フレキシブル基板に内蔵されたＩＣ素子と、前記フレキシブル基板に内蔵されたチップ状コンデンサと、磁性体を素体とし、前記フレキシブル基板の一方主面に搭載されたチップ状インダクタと、前記フレキシブル基板の他方主面に形成された入出力端子と、を備える。【０００７】
この構成によれば、基板として熱可塑性樹脂からなるフレキシブル基板を利用しているので、つまり、基板は衝撃吸収性を持っているので、落下等の衝撃がＩＣ素子に直接的に加わりにくくなり、耐衝撃性を向上できる。【０００８】
また、前記インダクタモジュールにおいて、平面視で、前記チップ状インダクタの投影面内に前記ＩＣ素子が配置されていてもよい。【０００９】
この構成によれば、ＩＣ素子から放射されるノイズの他の部品への影響を抑制できる。【００１０】
また、前記チップ状インダクタは前記フレキシブル基板に向かう一方主面に平面状電極を有し、当該平面状電極を介して前記フレキシブル基板と接続されていてもよい。【００１１】
この構成によれば、例えば端面電極型のチップインダクタを用いる場合と比べて、前記チップ状インダクタをより大きな面積で設置できる。これにより、前記チップ状インダクタの大電流化や直流重畳特性の改善が容易になるとともに、ＩＣ素子に対するノイズ抑制のための構造を、前記チップ状インダクタ内に構成し易くなる。【００１２】
また、前記ＩＣ素子は、平面視で前記入出力端子と重ならない位置に配置されていてもよい。【００１３】
この構成によれば、前記ＩＣ素子を、前記入出力端子のために衝撃吸収性が低下している前記フレキシブル基板の位置を避けて配置することで、落下等に対する耐衝撃性をさらに改善できる。【００１４】
また、前記ＩＣ素子と前記入出力端子とを結ぶ配線の一部は、前記チップ状インダクタの前記素体の内部に引回されていてもよい。【００１５】
この構成によれば、磁性体である前記素体によって前記配線の前記一部に形成されるインダクタンスにより、前記配線に乗る高周波ノイズを抑制することができる。【００１６】
また、前記チップ状インダクタの前記素体は、磁性体セラミックで構成されていてもよい。【００１７】
この構成によれば、磁性体セラミックの高い透磁率のために、前記チップ状インダクタを小型低背に構成できる。【００１８】
また、前記チップ状インダクタの前記素体と前記フレキシブル基板とが直接的に接合されていてもよい。【００１９】
この構成によれば、前記チップ状インダクタの前記素体が前記フレキシブル基板に直接接合することにより、前記平面状電極だけで前記チップ状インダクタと前記フレキシブル基板とが接続している場合と比べて、機械的強度を向上できる。また、前記チップ状インダクタと前記フレキシブル基板との間に隙間がないので、当該隙間がある場合に放射され得る非所望の電磁波を抑制できる。【００２０】
また、前記チップ状インダクタの前記フレキシブル基板とは反対側の他方主面に、補助層が配置されていてもよい。【００２１】
この構成によれば、前記補助層によって前記チップ状インダクタの前記他方主面を保護するとともに、前記他方主面の平滑性を向上できる。また、補助層を、前記フレキシブル基板と同じ材料で構成すれば、前記インダクタモジュールの両側主面での熱収縮率が均衡することで、製造時の熱処理により前記インダクタモジュールに生じ得る反りや歪みを抑制できる。【００２２】
また、前記チップ状インダクタと前記フレキシブル基板とは、平面視で同じ大きさに形成されていてもよい。【００２３】
この構成によれば、前記チップ状インダクタの前記磁性体素体を最大限の面積で配置できる。これにより、前記チップ状インダクタの大電流化や直流重畳特性の改善が容易になるとともに、ＩＣ素子に対するノイズ抑制のための構造を、前記チップ状インダクタ内に構成し易くなる。【００２４】
また、前記ＩＣ素子はスイッチングＩＣ素子、前記チップ状インダクタはチョークコイルであって、前記インダクタモジュールは、ＤＣＤＣコンバータモジュールを構成していてもよい。【００２５】
この構成によれば、前記インダクタモジュールを用いることにより、耐衝撃性に優れたＤＣＤＣコンバータモジュールが得られる。【００２６】
また、前記ＩＣ素子はＲＦＩＣ素子、前記チップ状インダクタはアンテナコイルであって、前記インダクタモジュールは、ＲＦモジュールを構成していてもよい。【００２７】
この構成によれば、前記インダクタモジュールを用いることにより、耐衝撃性に優れたＲＦモジュールが得られる。
【発明の効果】
【００２８】
本発明に係るインダクタモジュールによれば、基板として熱可塑性樹脂からなるフレキシブル基板を利用しているので、つまり、基板は衝撃吸収性を持っているので、落下等の衝撃がＩＣ素子に直接的に加わりにくくなり、耐衝撃性を向上できる。
【図面の簡単な説明】
【００２９】
【図１】図１は、実施の形態１に係るＤＣＤＣコンバータモジュールの構造の一例を示す分解斜視図である。
【図２】図２は、実施の形態１に係るＤＣＤＣコンバータモジュールの構造の一例を示す断面図である。
【図３】図３は、実施の形態１に係るＤＣＤＣコンバータ回路の一例を示す回路図である。
【図４】図４は、実施の形態２に係るＤＣＤＣコンバータモジュールの構造の一例を示す断面図である。
【図５】図５は、実施の形態２に係るＤＣＤＣコンバータモジュールの製造工程の一例を説明する断面図である。
【図６】図６は、実施の形態２に係るＤＣＤＣコンバータモジュールの製造工程の一例を説明する断面図である。
【図７】図７は、実施の形態２に係るＤＣＤＣコンバータモジュールの製造工程の一例を説明する工程図である。
【図８】図８は、実施の形態２に係るＤＣＤＣコンバータモジュールの一体化前後での要部をそれぞれ模式的に示す部分拡大図である。
【図９】図９は、実施の形態３に係るＤＣＤＣコンバータモジュールの構造の一例を示す断面図である。
【図１０】図１０は、実施の形態３に係るＤＣＤＣコンバータ回路の一例を示す回路図である。
【図１１】図１１は、実施の形態４に係るＲＦモジュールの構造の一例を示す分解斜視図である。
【図１２】図１２は、実施の形態４に係るＲＦ回路の一例を示す回路図である。
【図１３】図１３は、実施の形態４に係るＲＦモジュールの実装構造の一例を示す断面図である。
【発明を実施するための形態】
【００３０】
以下、本発明の実施の形態について、図面を用いて詳細に説明する。なお、以下で説明する実施の形態は、いずれも包括的又は具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさ又は大きさの比は、必ずしも厳密ではない。
【００３１】
（実施の形態１）
実施の形態１に係るインダクタモジュールは、ＩＣ素子とチップ状コンデンサとを内蔵した熱可塑性樹脂からなる絶縁性のフレキシブル基板上に、チップ状インダクタを搭載して構成される。
【００３２】
以下では、実施の形態１に係るインダクタモジュールについて、前記ＩＣ素子はスイッチングＩＣ素子、前記チップ状インダクタはチョークコイルであって、前記インダクタモジュールがＤＣＤＣコンバータモジュールを構成している具体例を用いて説明する。
【００３３】
図１は、実施の形態１に係るＤＣＤＣコンバータモジュールの構造の一例を示す分解斜視図である。図１に示されるように、ＤＣＤＣコンバータモジュール１は、フレキシブル基板１００と、スイッチングＩＣ素子１１０と、チップ状コンデンサ１２０、１３０と、チップ状インダクタ１４０と、入出力端子１６０とを備える。フレキシブル基板１００とチップ状インダクタ１４０とは、接続端子１５０、２４０において、互いに接続されている。
【００３４】
フレキシブル基板１００は、熱可塑性樹脂からなる絶縁性の基板である。スイッチングＩＣ素子１１０と、チップ状コンデンサ１２０、１３０とは、フレキシブル基板１００に内蔵されている。
【００３５】
チップ状インダクタ１４０は、磁性体で構成された素体２００中にコイル２１０を配置してなり、フレキシブル基板１００の一方主面に搭載されている。
【００３６】
入出力端子１６０は、ＤＣＤＣコンバータモジュール１をプリント配線基板等のマザー基板に実装するための端子であり、フレキシブル基板１００の他方主面に形成されている。フレキシブル基板１００において、スイッチングＩＣ素子１１０は、平面視で入出力端子１６０と重ならない位置に内蔵され、接続端子１５０は、平面視で入出力端子１６０と重なる位置に設けられている。
【００３７】
図２は、ＤＣＤＣコンバータモジュール１の構造の一例を示す断面図であり、図１のＩＩ−ＩＩ断面を矢印の方向に見た図に対応する。以下では、簡明のため、同種の構成要素を同じ模様で示して符号を適宜省略し、また、厳密には別断面にある構成要素を同一図面内に示して説明することがある。
【００３８】
図２に示されるように、チップ状インダクタ１４０の素体２００は、複数の磁性体層を積層してなる磁性体基板である。素体２００には、コイル２１０を構成するためのコイル導体が配置されている。コイル導体には、磁性体層の主面に沿ってループ状に配置された面内導体２２０、および、磁性体層を厚み方向に貫通して配置された層間導体２３０が含まれる。積層方向に隣接する面内導体２２０同士を層間導体（図２では示さず）で接続して、コイル２１０が形成される。コイル２１０は、層間導体２３０を介して接続端子２４０に接続される。接続端子２４０は、ＬＧＡ（Ｌａｎｄ  Ｇｒｉｄ  Ａｒｒａｙ）型の平面状電極である。
【００３９】
素体２００は、磁性体セラミックで構成されてもよく、メタルコンポジットで構成されてもよい。具体的に、素体２００はフェライト系磁性体セラミックで構成されてもよい。
【００４０】
また、面内導体２２０、層間導体２３０、および接続端子２４０は、銀を主成分とする金属または合金で構成されてもよい。接続端子２４０には、例えば、ニッケル、パラジウム、または金によるめっきが施されていてもよい。
【００４１】
チップ状インダクタ１４０は、例えば、コイル導体が形成される予定位置に導体ペーストを配置した磁性の複数のセラミックグリーンシートを重ねて未焼成ブロックに一体化し、当該未焼成ブロックを一括して焼成することにより作製される。つまり、チップ状インダクタ１４０は、素体２００を構成するフェライト焼結体に、コイル２１０を構成する金属が共焼結されてなる磁性体セラミックチップであってもよい。導体ペーストは、スクリーン印刷により、セラミックグリーンシートの所望の位置に配置されてもよい。
【００４２】
素体２００を構成する磁性または非磁性のフェライトセラミックスに、焼成温度が銀の融点以下であるＬＴＣＣセラミックス（Ｌｏｗ  Ｔｅｍｐｅｒａｔｕｒｅ  Ｃｏ−ｆｉｒｅｄ  Ｃｅｒａｍｉｃｓ）を用いてもよい。これにより、面内導体２２０および層間導体２３０を、銀を用いて構成することが可能になる。
【００４３】
抵抗率の低い銀を用いて面内導体２２０および層間導体２３０を構成することで、損失が少なく電力効率などの特性に優れたＤＣＤＣコンバータが得られる。特に、前記導体に銀を用いることで、例えば大気などの酸化性雰囲気下でチップ状インダクタ１４０を焼成できる。
【００４４】
フレキシブル基板１００は、複数の熱可塑性樹脂層を積層してなる多層基板である。フレキシブル基板１００には、スイッチングＩＣ素子１１０およびチップ状コンデンサ１２０、１３０が埋設される。また、図示はしていないが、ＤＣＤＣコンバータ回路を構成するための各種の配線導体が配置される。当該配線導体には、熱可塑性樹脂層の主面に沿って配置された面内導体、および、熱可塑性樹脂層を厚み方向に貫通して配置された層間導体が含まれる。ＤＣＤＣコンバータ回路の所定のノードは、当該配線導体を介して接続端子１５０および入出力端子１６０に接続される。接続端子１５０および入出力端子１６０は、ＬＧＡ型の平面状電極である。
【００４５】
フレキシブル基板１００を構成する複数の熱可塑性樹脂層は、ポリイミドまたは液晶ポリマなどの絶縁性の熱可塑性樹脂で構成されてもよい。層間導体は、錫を主成分とする金属または合金で構成されてもよい。面内導体、接続端子１５０、および入出力端子１６０は、銅を主成分とする金属または合金で構成されてもよい。
【００４６】
フレキシブル基板１００は、例えば、配線導体、接続端子１５０、入出力端子１６０となる導体パターン、およびスイッチングＩＣ素子１１０およびチップ状コンデンサ１２０、１３０を配置した複数の熱可塑性樹脂シートを重ねて熱圧着処理することで作製される。
【００４７】
ここで、導体パターンは、熱可塑性樹脂シート上に配置された銅または銅合金の箔を、面内導体、接続端子１５０、および入出力端子１６０の形状にエッチングしたものであってもよい。所定の熱可塑性樹脂シートには、スイッチングＩＣ素子１１０およびチップ状コンデンサ１２０、１３０を収容するキャビティを、例えばプレス加工またはレーザ加工により、あらかじめ設けておく。なお、スイッチングＩＣ素子１１０およびチップ状コンデンサ１２０、１３０は、フレキシブル基板１００に完全に埋設されていてもよく、部分的に埋設されていてもよい。
【００４８】
接続端子１５０、２４０を、錫系はんだなどの導電性接合材５００で接続することにより、フレキシブル基板１００とチップ状インダクタ１４０とはＤＣＤＣコンバータモジュール１に一体化されている。
【００４９】
図３は、ＤＣＤＣコンバータモジュール１によって構成されるＤＣＤＣコンバータ回路の一例を示す回路図である。
【００５０】
図３に示されるＤＣＤＣコンバータ回路１１は、スイッチングＩＣ、チョークコイルＬ１、およびコンデンサＣ１、Ｃ２からなり、各種の入出力端子を有している。入出力端子には、イネーブル端子Ｖｅｎ、制御端子Ｖｃｏｎ、入力端子Ｖｉｎ、出力端子Ｖｏｕｔ、および３つのグランド端子ＧＮＤが含まれる。
【００５１】
スイッチングＩＣ、コンデンサＣ１、Ｃ２は、フレキシブル基板１００に内蔵されたスイッチングＩＣ素子１１０、チップ状コンデンサ１２０、１３０で構成される。チョークコイルＬ１は、チップ状インダクタ１４０に内蔵されたコイル２１０で構成される。イネーブル端子Ｖｅｎ、制御端子Ｖｃｏｎ、入力端子Ｖｉｎ、出力端子Ｖｏｕｔ、および３つのグランド端子ＧＮＤは、フレキシブル基板１００上に設けられた各異なる入出力端子１６０で構成される。
【００５２】
チョークコイルＬ１は、接続端子１５０、２４０を介して、スイッチングＩＣに接続されている。コンデンサＣ１の一端は、入力端子ＶｉｎとスイッチングＩＣとの間の入力電圧用電源ラインに接続され、コンデンサＣ１の他端はグランド端子ＧＮＤに接続されている。コンデンサＣ２の一端は、スイッチングＩＣと出力端子Ｖｏｕｔとの間の出力電圧用電源ラインに接続され、コンデンサＣ２の他端はグランド端子ＧＮＤに接続されている。
【００５３】
スイッチングＩＣは、ＤＣＤＣコンバータ回路１１のスイッチング動作を制御するためのＩＣである。内部には、例えばＭＯＳ（Ｍｅｔａｌ  Ｏｘｉｄｅ  Ｓｅｍｉｃｏｎｄｕｃｔｏｒ）型ＦＥＴ（Ｆｉｅｌｄ  Ｅｆｆｅｃｔ  Ｔｒａｎｓｉｓｔｏｒ）等のスイッチング素子を有している。
【００５４】
ＤＣＤＣコンバータ回路１１は、入力端子Ｖｉｎに供給された入力電圧を、スイッチングＩＣに内蔵されているスイッチング素子でスイッチングし、チョークコイルＬ１とコンデンサＣ２とで平滑して、出力端子Ｖｏｕｔに出力する。
【００５５】
スイッチングＩＣは、例えば、スイッチング周波数を一定としてパルス幅を可変するＰＷＭ（Ｐｕｌｓｅ  Ｗｉｄｔｈ  Ｍｏｄｕｌａｔｉｏｎ）制御を行い、出力端子Ｖｏｕｔに出力される出力電圧を目標電圧に安定させる。スイッチングＩＣは、パルス幅を一定としてスイッチング周波数を可変するＰＦＭ（Ｐｕｌｓｅ  Ｆｒｅｑｕｅｎｃｙ  Ｍｏｄｕｌａｔｉｏｎ）制御を行ってもよく、モード端子Ｖｍｏｄｅに印加された制御信号に従って、ＰＷＭ制御とＰＦＭ制御とを切り替えてもよい。また、スイッチングＩＣは、イネーブル端子Ｖｅｎに印加された制御信号に従って、スイッチング動作の起動および停止を行ってもよい。
【００５６】
ＤＣＤＣコンバータ回路１１は、スイッチングＩＣが降圧、昇圧、昇降圧のいずれの制御を行うかに応じて、昇圧型、降圧型、昇降圧型の何れのＤＣＤＣコンバータ回路としても機能し得る。
【００５７】
以上、ＤＣＤＣコンバータモジュール１およびＤＣＤＣコンバータ回路１１について、具体例に基づいて説明した。上述のように構成されるＤＣＤＣコンバータモジュール１によれば、次のような効果が得られる。
【００５８】
熱可塑性樹脂からなるフレキシブル基板１００を利用しているので、つまり、基板は衝撃吸収性を持っているので、落下等の衝撃がスイッチングＩＣ素子１１０に直接的に加わりにくくなり、耐衝撃性を向上できる。また、フレキシブル基板１００にチップ状コンデンサ１２０、１３０を内蔵しているので、つまり、基板の表面にはチップ状インダクタ１４０しか実装していないので、基板面積に対して最大限に大きなチップ状インダクタ１４０を用いることができる。これにより、大電流化や直流重畳特性の改善が可能となる。さらには、チップ状インダクタ１４０を大面積で低背形状に構成することで、ＤＣＤＣコンバータモジュール１を低背化できる。
【００５９】
また、チップ状インダクタ１４０の素体２００を磁性体で構成し、平面視でチップ状インダクタ１４０の投影面内にスイッチングＩＣ素子１１０を配置している。これにより、スイッチングＩＣ素子１１０から放射されるノイズの他の部品への影響を抑制できる。
【００６０】
また、チップ状インダクタ１４０の接続端子２４０をＬＧＡ型の平面状電極で構成している。これにより、例えば端面電極型のチップインダクタを用いる場合と比べて、チップ状インダクタ１４０をより大きな面積で設置できる。そのため、チップ状インダクタ１４０の大電流化や直流重畳特性の改善が容易になるとともに、スイッチングＩＣ素子１１０に対するノイズ抑制のための構造を、チップ状インダクタ１４０の内部に構成し易くなる。
【００６１】
また、スイッチングＩＣ素子１１０を、平面視で入出力端子１６０と重ならない位置に内蔵している。これにより、スイッチングＩＣ素子１１０を、入出力端子１６０のために衝撃吸収性が低下しているフレキシブル基板１００の位置を避けて配置することで、落下等に対する耐衝撃性をさらに改善できる。
【００６２】
また、平面視で入出力端子１６０と重なるフレキシブル基板１００の位置に、接続端子１５０を配置している。接続端子１５０と入出力端子１６０とが重なる位置には、さらに、層間導体が配置されていてもよい。これにより、入出力端子１６０に加わった応力がスイッチングＩＣ素子１１０に加わりにくくなるので、ＤＣＤＣコンバータモジュール１の機械的強度をさらに改善できる。
【００６３】
また、チップ状インダクタ１４０の素体２００を、磁性体セラミックで構成している。これにより、磁性体セラミックの高い透磁率のために、チップ状インダクタ１４０を小型低背に構成できる。
【００６４】
また、チップ状インダクタ１４０とフレキシブル基板１００とは、平面視で同じ大きさに形成されている。これにより、チップ状インダクタ１４０の素体２００を最大限の面積で配置でき、チップ状インダクタ１４０の大電流化や直流重畳特性の改善が容易になるとともに、スイッチングＩＣ素子１１０に対するノイズ抑制のための構造を、チップ状インダクタ１４０内に構成し易くなる。
【００６５】
（実施の形態２）
実施の形態２では、フレキシブル基板とチップ状インダクタとが、熱圧着処理により直接的かつ一体的に接合されてなるＤＣＤＣコンバータモジュールについて説明する。
【００６６】
図４は、実施の形態２に係るＤＣＤＣコンバータモジュール２の構造の一例を示す断面図である。ＤＣＤＣコンバータモジュール２では、図２のＤＣＤＣコンバータモジュール１と比べて、フレキシブル基板１０１およびチップ状インダクタ１４１が変更され、補助層３００が追加される。以下では、ＤＣＤＣコンバータモジュール１と同一の構成については同一の符号を付して説明を省略し、実施の形態１で説明した事項と異なる事項について説明する。
【００６７】
フレキシブル基板１０１は、接続端子１５０に代えて、ビア導体４００を有する。また、ビア導体４００に接続する面内導体１７０を有する。
【００６８】
チップ状インダクタ１４１は、接続端子２４０に代えて、接続端子２５０を有する。接続端子２５０は、フレキシブル基板１０１に向かって突出する突状部２５１を有する。
【００６９】
ビア導体４００および接続端子２５０は、銀を主成分とする金属または合金で構成されてもよい。
【００７０】
補助層３００は、フレキシブル基板１００と同じく、ポリイミドまたは液晶ポリマなどの絶縁性の熱可塑性樹脂で構成されてもよい。
【００７１】
ビア導体４００と接続端子２５０とが接合され、かつフレキシブル基板１０１とチップ状インダクタ１４１の素体２００とが直接的に接合されることにより、フレキシブル基板１０１とチップ状インダクタ１４１とはＤＣＤＣコンバータモジュール２に一体化されている。
【００７２】
次に、ＤＣＤＣコンバータモジュール２の製造方法について説明する。
【００７３】
図５および図６は、ＤＣＤＣコンバータモジュール２の製造工程の一例を説明する側面図である。
【００７４】
まず、図５に示す、チップ状インダクタ１４１、フレキシブル基板１０１用の複数の熱可塑性樹脂シート、および補助層３００用の熱可塑性樹脂シートを準備する。
【００７５】
チップ状インダクタ１４１は、チップ状インダクタ１４０と同様、導体ペーストを配置した磁性の複数のセラミックグリーンシートを重ねて未焼成ブロックに一体化し、当該未焼成ブロックを一括して焼成することにより作製されてもよい。つまり、チップ状インダクタ１４１もまた、素体２００を構成するフェライト焼結体に、コイル２１０を構成する金属が共焼結されてなる磁性体セラミックチップであってもよい。導体ペーストは、スクリーン印刷により、セラミックグリーンシートの所望の位置に配置されてもよく、接続端子２５０の突状部２５１は、導体ペーストを重ね塗りするなどの方法で形成し得る。
【００７６】
また、フレキシブル基板１０１用の複数の熱可塑性樹脂シートおよび補助層３００用の熱可塑性樹脂シートは、熱硬化前のポリイミド材料又は液晶ポリマ材料をシート成形することによって作製される。
【００７７】
フレキシブル基板１０１用の熱可塑性樹脂シートに、面内導体１７０を含む配線導体および入出力端子１６０となる導体パターンを配置するとともに、スイッチングＩＣ素子１１０、チップ状コンデンサ１２０、１３０を収容するキャビティおよびビア導体４００を配置するための貫通孔を形成する。
【００７８】
前記導体パターンは、前記熱可塑性樹脂シート上に配置した銅または銅合金の箔を、配線導体および入出力端子１６０の形状にエッチングしたものであってもよい。また、前記キャビティおよび前記貫通孔は、プレス加工またはレーザ加工により形成されてもよい。
【００７９】
前記貫通孔内に未硬化のビア導体４００を充填する。未硬化のビア導体４００は、例えば銀を主成分とする導体ペーストで構成され、スクリーン印刷により、前記貫通孔内に配置されてもよい。
【００８０】
次いで、フレキシブル基板１０１用の複数の熱可塑性樹脂シート、チップ状インダクタ１４１、および補助層３００用の熱可塑性樹脂シートをこの順に重ねて位置合わせし、積層ブロックを形成する。そして、図６に示す圧着用治具６０１、６０２で当該積層ブロックを挟み込み、熱および圧力を加えて熱圧着処理する。
【００８１】
このとき、熱可塑性樹脂シートを構成する樹脂が一旦軟化し流動することで、熱可塑性樹脂シート同士、および熱可塑性樹脂シートとチップ状インダクタ１４１の素体２００（フェライト焼結体）とが直接的に接合される。同時に、熱可塑性樹脂シートに配置されたビア導体４００（導体ペースト）が金属化し、ビア導体４００と接続端子２５０および面内導体１７０とが電気的に接続される。
【００８２】
次いで、圧着用治具６０１、６０２を取り外し、露出している入出力端子１６０にめっきを施す。具体的には、無電解めっきにより、ニッケル／金のめっき膜を形成する。
【００８３】
以上の工程を経ることで、ＤＣＤＣコンバータモジュール２が完成する。完成したＤＣＤＣコンバータモジュール２は、入出力端子１６０を介して、プリント配線板などのマザー基板に実装される。
【００８４】
なお、上述の製造方法に従って、複数のＤＣＤＣコンバータモジュール２の集合体を作製した後、個々のＤＣＤＣコンバータモジュール２に個片化してもよい。
【００８５】
図７は、集合基板の個片化によるＤＣＤＣコンバータモジュール２の製造工程の一例を説明する工程図である。
【００８６】
集合基板の個片化による製造工程では、図７の（ａ）に示されるように、複数のチップ状インダクタ１４１の集合体である集合インダクタ基板１４１ａおよび複数のフレキシブル基板１０１の集合体である集合フレキシブル基板１０１ａを準備する。集合インダクタ基板１４１ａは、図５で説明したチップ状インダクタ１４１の構造を、２次元アレイ状に繰り返し有している。すなわち集合インダクタ基板１４１ａは、複数のチップ状インダクタ１４１が縦方向および横方向に並んで配置されている。また、集合フレキシブル基板１０１ａは、図５で説明したフレキシブル基板１０１の構造を、チップ状インダクタ１４１と対応する配置で、２次元アレイ状に繰り返し有している。すなわち集合フレキシブル基板１０１ａは、複数のフレキシブル基板１０１が縦方向および横方向に並んで配置されている。
【００８７】
次に、図７の（ｂ）に示されるように、集合インダクタ基板１４１ａと集合フレキシブル基板１０１ａとを位置合わせし集合積層ブロック２ａを形成する。集合積層ブロック２ａには、図示していない補助層３００用の熱可塑性樹脂シートを積層してもよい。そして、集合積層ブロック２ａを熱圧着処理する。これにより、図６で説明したチップ状インダクタ１４１とフレキシブル基板１０１との機械的な接合および電気的な接続が、集合積層ブロック２ａ全体で同時に形成される。
【００８８】
次に、図７の（ｃ）に示されるように、集合積層ブロック２ａを、隣接するＤＣＤＣコンバータモジュール２の境界線であるブレイクラインＢＬに沿ってダイシングソーなどで切断し、個片化する。これにより、一度の個片化処理により多数のＤＣＤＣコンバータモジュール２を得ることができる。
【００８９】
一般的なＤＣＤＣコンバータモジュールの製造工程にあっては、集合フレキシブル基板１０１ａに、マウンタなどで１個１個、チップ状インダクタを実装する。これに対し、上記の製造方法によれば、集合インダクタ基板１４１ａと複数のフレキシブル基板１０１とを一体化した集合積層ブロック２ａから、一度の個片化処理で多数のＤＣＤＣコンバータモジュール２を得ることができるので、高い生産性が実現する。
【００９０】
ＤＣＤＣコンバータモジュール２には、図６に示される部分Ａにおいて、特徴的な接合構造が形成される。
【００９１】
図８は、ＤＣＤＣコンバータモジュール２の部分Ａの一例を示す拡大図であり、（ａ）は熱圧着処理前、（ｂ）は熱圧着処理後の状態をそれぞれ模式的に示している。
【００９２】
熱圧着処理により、ＤＣＤＣコンバータモジュール２の部分Ｂにおいて、フレキシブル基板１０１用の熱可塑性樹脂シートを構成する樹脂が、チップ状インダクタ１４１の素体２００（フェライト焼結体）の表面の微細な凹凸（ポーラス構造）にかみ込むことにより、アンカー構造が形成される。つまり、チップ状インダクタ１４１の素体２００とフレキシブル基板１０１とが直接的に接合する。これにより、フレキシブル基板１０１とチップ状インダクタ１４１との間に機械的に強固な接合が生じる。
【００９３】
同様のアンカー構造が、補助層３００用の熱可塑性樹脂シートとチップ状インダクタ１４１の素体２００との間にも形成され（図示せず）、補助層３００とチップ状インダクタ１４１との間に機械的に強固な接合が生じる。
【００９４】
また、熱圧着処理により、ＤＣＤＣコンバータモジュール２の部分Ｃにおいて、接続端子２５０とビア導体４００との間で、金属化した銀が形成され、部分Ｄにおいて、ビア導体４００と面内導体１７０との間で、銅と銅との金属間化合物が形成される。これにより、接続端子２５０とビア導体４００との間、およびビア導体４００と面内導体１７０との間に、機械的および電気的に強固な接合が生じる。
【００９５】
これらの接合構造によって、フレキシブル基板１０１、チップ状インダクタ１４１、および補助層３００は、機械的および電気的に強固に接合する。その結果、機械的強度（異種材料間での剥離耐性）および電気的特性に優れたＤＣＤＣコンバータモジュール２が得られる。
【００９６】
また、ＤＣＤＣコンバータモジュール２では、チップ状インダクタ１４１とフレキシブル基板１０１との間に隙間がないので、当該隙間がある場合に放射され得る非所望の電磁波を抑制できる。
【００９７】
また、ＤＣＤＣコンバータモジュール２では、補助層３００が設けられている。これにより、チップ状インダクタ１４１のフレキシブル基板１０１とは反対側の他方主面を保護するとともに、前記他方主面の平滑性を向上できる。例えば、チップ状インダクタ１４１の素体２００はフェライト焼結体であるために耐めっき液性が弱いが、補助層３００を設けることにより、入出力端子１６０にめっきを施す際のめっき液から保護することができる。
【００９８】
また、補助層３００を、フレキシブル基板と同じ材料で構成することで、ＤＣＤＣコンバータモジュール２の両側主面での熱収縮率を均衡させ、熱圧着処理においてＤＣＤＣコンバータモジュール２に生じ得る反りや歪みを抑制できる。
【００９９】
（実施の形態３）
実施の形態３では、チップ状インダクタに、スイッチングＩＣ素子に対するノイズ抑制のための構造を追加したＤＣＤＣコンバータモジュールについて説明する。
【０１００】
図９は、実施の形態３に係るＤＣＤＣコンバータモジュール３の構造の一例を示す断面図である。ＤＣＤＣコンバータモジュール３では、図２のＤＣＤＣコンバータモジュール１と比べて、フレキシブル基板１０２およびチップ状インダクタ１４２が変更される。以下では、ＤＣＤＣコンバータモジュール１と同一の構成については同一の符号を付して説明を省略し、実施の形態１で説明した事項と異なる事項について説明する。
【０１０１】
フレキシブル基板１０２は、図２のフレキシブル基板１００に、接続端子１５１、１５２を追加して構成される。接続端子１５１、１５２は、フレキシブル基板１０２内の接続配線（図示せず）で、後述するＤＣＤＣコンバータ回路の所定のノードに接続されている。
【０１０２】
チップ状インダクタ１４２は、図２のチップ状インダクタ１４０に、面内導体２２１、２２２、層間導体２３１、２３２、および接続端子２４１、２４２を追加して構成される。
【０１０３】
接続端子１５１と接続端子２４１、および接続端子１５２と接続端子２４２は、錫系はんだなどの導電性接合材５００で、それぞれ接続されている。
【０１０４】
図１０は、ＤＣＤＣコンバータモジュール３によって構成されるＤＣＤＣコンバータ回路の一例を示す回路図である。
【０１０５】
図１０に示されるＤＣＤＣコンバータ回路１３は、図３のＤＣＤＣコンバータ回路１１に配線Ｊ１、Ｊ２を追加してなる。
【０１０６】
配線Ｊ１は、チップ状インダクタ１４２に内蔵された面内導体２２１および層間導体２３１で構成される。配線Ｊ２は、チップ状インダクタ１４２に内蔵された面内導体２２２および層間導体２３２で構成される。
【０１０７】
ＤＣＤＣコンバータ回路１３では、イネーブル端子ＶｅｎとスイッチングＩＣとの間の信号ライン、およびモード端子ＶｍｏｄｅとスイッチングＩＣとの間の信号ラインが、それぞれ配線Ｊ１、Ｊ２を通ってチップ状インダクタ１４２の内部に引き回されている。つまり、当該信号ラインは、チップ状インダクタ１４２の磁性体材料で構成された素体２００の内部に引き回されている。
【０１０８】
これにより、当該信号ラインは、フェライトビーズに通された状態になるので、当該信号ラインで伝達される制御信号に重畳する高周波ノイズを抑制することができる。つまり、当該信号ラインが、スイッチングＩＣ素子１１０に対するノイズ抑制のための構造の一例である。
【０１０９】
（実施の形態４）
実施の形態４に係るインダクタモジュールは、実施の形態１のインダクタモジュールと同様、ＩＣ素子とチップ状コンデンサとを内蔵した熱可塑性樹脂からなる絶縁性のフレキシブル基板上に、チップ状インダクタを搭載して構成される。
【０１１０】
以下では、実施の形態４に係るインダクタモジュールについて、前記ＩＣ素子はＲＦＩＣ素子、前記チップ状インダクタはアンテナコイルであって、前記インダクタモジュールがＲＦモジュールを構成している具体例を用いて説明する。
【０１１１】
図１１は、実施の形態４に係るＲＦモジュールの構造の一例を示す分解斜視図である。図１１に示されるように、ＲＦモジュール５は、フレキシブル基板１０５と、ＲＦＩＣ素子１１５と、チップ状コンデンサ１３５と、チップ状インダクタ１４５と、入出力端子１６０とを備える。
【０１１２】
フレキシブル基板１０５は、熱可塑性樹脂からなる絶縁性の基板である。ＲＦＩＣ素子１１５と、チップ状コンデンサ１３５とは、フレキシブル基板１０５に内蔵されている。
【０１１３】
チップ状インダクタ１４５は、磁性体で構成された素体２００にコイル２１５を配置してなり、フレキシブル基板１０５の一方主面に搭載されている。ＤＣＤＣコンバータモジュール１〜３にあっては、コイル２１０は、チョークコイルに適した閉磁路構造を有するのに対し、ＲＦモジュール５のコイル２１５は、アンテナコイルに適した開磁路構造を有する。
【０１１４】
コイル２１５は、限定されない一例として、素体２００の側面に露出する層間導体２３５と素体２００の内部に配置される面内導体２２５とを、螺旋状に接続して形成されてもよい。コイル２１５の一端および他端は、接続端子２４０に接続される。コイル２１５の中心軸ＷＡは、ＲＦモジュール５の主面と略平行である。
【０１１５】
入出力端子１６０は、ＲＦモジュール５をプリント配線基板等のマザー基板に実装するための端子であり、フレキシブル基板１０５の他方主面に形成されている。フレキシブル基板１０５において、ＲＦＩＣ素子１１５は、平面視で入出力端子１６０と重ならない位置に内蔵され、接続端子１５０は、平面視で入出力端子１６０と重なる位置に設けられている。
【０１１６】
フレキシブル基板１０５とチップ状インダクタ１４５とは、接続端子１５０、２４０において、互いに接続される。フレキシブル基板１０５とチップ状インダクタ１４５とは、実施の形態１で述べたように、接続端子１５０、２４０を導電性接合材で接合することにより接続されてもよく、また、実施の形態２で述べたように、熱圧着処理により直接的かつ一体的に接合されてもよい。
【０１１７】
図１２は、ＲＦモジュール５によって構成されるＲＦ回路の一例を示す回路図である。
【０１１８】
図１２に示されるＲＦ回路１５は、ＲＦＩＣ、アンテナコイルＬ２、およびコンデンサＣ３からなり、入出力端子Ｐ１、Ｐ２を有している。
【０１１９】
ＲＦＩＣ、コンデンサＣ３は、フレキシブル基板１０５に内蔵されたＲＦＩＣ素子１１５、チップ状コンデンサ１３５で構成される。アンテナコイルＬ２は、チップ状インダクタ１４５に内蔵されたコイル２１５で構成される。信号端子Ｐ１、Ｐ２は、フレキシブル基板１０５上に設けられた各異なる入出力端子１６０で構成される。アンテナコイルＬ２は、接続端子１５０、２４０を介して、ＲＦＩＣに接続されている。
【０１２０】
アンテナコイルＬ２とコンデンサＣ３とは、ＲＦＩＣの出力端子対に並列に接続され、アンテナ共振回路を構成している。
【０１２１】
ＲＦＩＣは、電力増幅器および低雑音増幅器を含み、信号端子Ｐ１、Ｐ２で受信した高周波信号を電力増幅器で増幅し、アンテナコイルＬ２から放射する。また、アンテナコイルＬ２で捕捉した高周波信号を低雑音増幅器で増幅し、信号端子Ｐ１、Ｐ２から出力する。
【０１２２】
ＲＦＩＣは、限定されない一例として、ＮＦＣ（近距離無線通信）用のＩＣであってもよく、その場合、ＲＦモジュール５は、アンテナコイルと制御ＩＣとを一体化したＮＦＣ用の無線通信モジュールを構成する。なお、ここで言うＮＦＣは、ＲＦタグに代表される、微小な電力で数センチメートルから１メートル程度の到達距離での通信を行うための通信規格を意味する。
【０１２３】
なお、ＲＦモジュール５は、ＮＦＣには限られず、Ｂｌｕｅｔｏｏｔｈ（登録商標）、Ｚｉｇｂｅｅ（登録商標）、無線ＬＡＮ（Ｌｏｃａｌ  Ａｒｅａ  Ｎｅｔｗｏｒｋ）などの通信規格に従って通信を行う無線通信モジュールであってもよい。
【０１２４】
図１３は、ＲＦモジュール５の実装構造の一例を示す断面図であり、図１１のＸＩＩＩ−ＸＩＩＩ断面を矢印の方向に見た図に対応する。図１３では、ＲＦモジュール５とともに、ＲＦモジュール５が実装される基板７００が示されている。
【０１２５】
基板７００は、プリント配線基板等のマザー基板である。基板７００の一方主面には、ＲＦモジュール５の入出力端子１６０の対応位置に、接続パターン７１０が設けられている。入出力端子１６０と接続パターン７１０とを導電性接合材５０１で接続することにより、ＲＦモジュール５は、基板７００に実装される。導電性接合材５０１は、一例として錫系はんだであり、ＲＦモジュール５は、リフロー処理により、基板７００に実装されてもよい。ＲＦモジュール５は、基板７００上の応用回路から、無線通信モジュールとして利用される。
【０１２６】
以上、ＲＦモジュール５およびＲＦ回路１５について、具体例に基づいて説明した。上述のように構成されるＲＦモジュール５によれば、ＤＣＤＣコンバータモジュール１などについて上述した効果と同様の効果が得られる。
【０１２７】
すなわち、熱可塑性樹脂からなるフレキシブル基板１０５を利用しているので、つまり、基板は衝撃吸収性を持っているので、落下等の衝撃がＲＦＩＣ素子１１５に直接的に加わりにくくなり、耐衝撃性を向上できる。
【０１２８】
また、フレキシブル基板１０５にチップ状コンデンサ１３５を内蔵しているので、つまり、基板の表面にはチップ状インダクタ１４５しか実装していないので、基板面積に対して最大限に大きなチップ状インダクタ１４５を用いることができる。これにより、アンテナの大型化による送受信効率の改善が可能となる。
【０１２９】
さらには、コイル２１５が、中心軸をＲＦモジュール５の主面と略平行にする向きで配置されるので、コイル２１５の磁界は、フレキシブル基板１０５のＲＦＩＣ素子１１５、チップ状コンデンサ１３５、および電極パターンに影響されにくい。
【０１３０】
また、ＲＦＩＣ素子１１５を、平面視で入出力端子１６０と重ならない位置に内蔵している。これにより、ＲＦＩＣ素子１１５を、入出力端子１６０のために衝撃吸収性が低下しているフレキシブル基板１０５の位置を避けて配置することで、落下等に対する耐衝撃性をさらに改善できる。
【０１３１】
また、平面視で入出力端子１６０と重なるフレキシブル基板１０５の位置に、接続端子１５０を配置している。接続端子１５０と入出力端子１６０とが重なる位置には、さらに、層間導体が配置されていてもよい。これにより、入出力端子１６０に加わった応力がＲＦＩＣ素子１１５に加わりにくくなるので、ＲＦモジュール５の機械的強度をさらに改善できる。
【０１３２】
以上、本発明の実施の形態に係るＤＣＤＣコンバータモジュールについて説明したが、本発明は、個々の実施の形態には限定されない。本発明の趣旨を逸脱しない限り、当業者が思いつく各種変形を本実施の形態に施したものや、異なる実施の形態における構成要素を組み合わせて構築される形態も、本発明の一つ又は複数の態様の範囲内に含まれてもよい。
【０１３３】
例えば、実施の形態２で説明した素体２００がフレキシブル基板１０１に直接接合されるチップ状インダクタ１４１に、実施の形態３で説明したスイッチングＩＣ素子１１０に対するノイズ抑制のための構造を設けてもよい。
【産業上の利用可能性】
【０１３４】
本発明は、ＤＣＤＣコンバータモジュールとして、携帯情報端末やデジタルカメラなどの電子機器に広く利用できる。
【符号の説明】
【０１３５】
１、２、３  ＤＣＤＣコンバータモジュール
２ａ  集合積層ブロック
１１、１３  ＤＣＤＣコンバータ回路
１５  ＲＦ回路
１００、１０１、１０２、１０５  フレキシブル基板
１０１ａ  集合フレキシブル基板
１１０  スイッチングＩＣ素子
１１５  ＲＦＩＣ素子
１２０、１３０、１３５  チップ状コンデンサ
１４０、１４１、１４２、１４５  チップ状インダクタ
１４１ａ  集合インダクタ基板
１５０、１５１、１５２、２４０、２４１、２４２、２５０  接続端子
１６０  入出力端子
１７０、２２０、２２１、２２２、２２５  面内導体
２００  素体
２１０、２１５  コイル
２３０、２３１、２３２、２３５  層間導体
２５１  突状部
３００  補助層
４００  ビア導体
５００、５０１  導電性接合材
６０１、６０２  圧着用治具
７００  基板
７１０  接続パターン
【図１】
2017179612.tif 000003
【図２】
2017179612.tif 000004
【図３】
2017179612.tif 000005
【図４】
2017179612.tif 000006
【図５】
2017179612.tif 000007
【図６】
2017179612.tif 000008
【図７】
2017179612.tif 000009
【図８】
2017179612.tif 000010
【図９】
2017179612.tif 000011
【図１０】
2017179612.tif 000012
【図１１】
2017179612.tif 000013
【図１２】
2017179612.tif 000014
【図１３】
2017179612.tif 000015
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
熱可塑性樹脂からなる絶縁性のフレキシブル基板と、
前記フレキシブル基板に内蔵されたＩＣ素子と、
前記フレキシブル基板に内蔵されたチップ状コンデンサと、
磁性体を素体とし、前記フレキシブル基板の一方主面に搭載されたチップ状インダクタと、
前記フレキシブル基板の他方主面に形成された入出力端子と、
を備え、
前記チップ状インダクタの前記素体は、磁性体セラミックで構成されている、
インダクタモジュール。
【請求項２】
平面視で、前記チップ状インダクタの投影面内に前記ＩＣ素子が配置されている、
請求項１に記載のインダクタモジュール。
【請求項３】
前記チップ状インダクタは前記フレキシブル基板に向かう一方主面に平面状電極を有し、当該平面状電極を介して前記フレキシブル基板と接続されている、
請求項１または２に記載のインダクタモジュール。
【請求項４】
前記ＩＣ素子は、平面視で前記入出力端子と重ならない位置に配置されている、
請求項１から３の何れか１項に記載のインダクタモジュール。
【請求項５】
前記ＩＣ素子と前記入出力端子とを結ぶ配線の一部は、前記チップ状インダクタの前記素体の内部に引回されている、
請求項１から４の何れか１項に記載のインダクタモジュール。
【請求項６】
前記チップ状インダクタの前記素体と前記フレキシブル基板とが直接的に接合されている、
請求項１から５の何れか１項に記載のインダクタモジュール。
【請求項７】
前記チップ状インダクタの前記フレキシブル基板とは反対側の他方主面に、補助層が配置されている、
請求項１から６の何れか１項に記載のインダクタモジュール。
【請求項８】
前記チップ状インダクタと前記フレキシブル基板とは、平面視で同じ大きさに形成されている、
請求項１から７の何れか１項に記載のインダクタモジュール。
【請求項９】
前記ＩＣ素子はスイッチングＩＣ素子、前記チップ状インダクタはチョークコイルであって、ＤＣＤＣコンバータモジュールを構成している、
請求項１から８のいずれか１項に記載のインダクタモジュール。
【請求項１０】
前記ＩＣ素子はＲＦＩＣ素子、前記チップ状インダクタはアンテナコイルであって、ＲＦモジュールを構成している、
請求項１から８のいずれか１項に記載のインダクタモジュール。
【手続補正２】
【補正対象書類名】明細書
【補正対象項目名】０００６
【補正方法】変更
【補正の内容】
【０００６】
上記目的を達成するために、本発明の一態様に係るインダクタモジュールは、熱可塑性樹脂からなる絶縁性のフレキシブル基板と、前記フレキシブル基板に内蔵されたＩＣ素子と、前記フレキシブル基板に内蔵されたチップ状コンデンサと、磁性体を素体とし、前記フレキシブル基板の一方主面に搭載されたチップ状インダクタと、前記フレキシブル基板の他方主面に形成された入出力端子と、を備え、前記チップ状インダクタの前記素体は、磁性体セラミックで構成されている。
【手続補正３】
【補正対象書類名】明細書
【補正対象項目名】０００７
【補正方法】変更
【補正の内容】
【０００７】
この構成によれば、基板として熱可塑性樹脂からなるフレキシブル基板を利用しているので、つまり、基板は衝撃吸収性を持っているので、落下等の衝撃がＩＣ素子に直接的に加わりにくくなり、耐衝撃性を向上できる。また、磁性体セラミックの高い透磁率のために、前記チップ状インダクタを小型低背に構成できる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【国際調査報告】
2017179612.tif 000016
2017179612.tif 000017
2017179612.tif 000018
2017179612.tif 000019